【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
フィルタ組立体であって、
前記フィルタ組立体は：
内部キャビティ、流入口及び流出口を画定する、フィルタハウジング；
フィルタカートリッジであって、前記フィルタカートリッジ流入面及び流出面を含み、前記フィルタカートリッジはまた前記フィルタ媒体に連結されたフレームも含み、前記フィルタカートリッジの少なくとも一部分は、前記フィルタハウジングの前記内部キャビティ内に位置する、フィルタカートリッジ
を備え、
フレーム部材は開口を画定し、前記開口を通して流体を前記フィルタ媒体の前記流入面へと配向でき、前記フレーム部材は上面を含み、
前記流入面は、前記フレーム部材の前記上面の下側で窪んでいる、フィルタ組立体。
【請求項２】
前記ハウジングの突出部分は、前記フレーム部材によって画定された前記開口内に突出し；
前記フレーム部材は前記ハウジングの前記突出部分を取り囲み、前記フレーム部材の前記上面の下側で流入面が窪んでいることにより、クリアランスを提供する、請求項１に記載のフィルタ組立体。
【請求項３】
前記フレームは第１の脚及び第２の脚を含み、前記第１及び第２の脚は前記開口の両側に位置し；
前記フィルタカートリッジは前記第１の脚と前記第２の脚との間に位置する、請求項２に記載のフィルタ組立体。
【請求項４】
前記フレームは、前記開口の周囲に延在する矩形上部部分を含み、前記積層体より大きな周を画定し、前記フィルタ組立体はまた、前記開口の周囲に延在する前記脚の外側において上部部分に連結された密閉部材を含み、前記密閉部材は、前記フィルタカートリッジを前記フィルタハウジングに設置した時に、流体の流れが前記フィルタカートリッジを迂回することを防止するために、前記フィルタハウジングを密閉するよう構成される、請求項１から３のいずれか一項に記載のフィルタ組立体。
【請求項５】
前記フィルタカートリッジは、前記フィルタ媒体の一方の側部を密閉し前記フレーム部材と重なる、第１の端部キャップを含み；
前記フィルタカートリッジは、前記フィルタ媒体の前記一方の側部と反対側の別の側部を密閉する、第２の端部キャップを含み、前記第２の端部キャップは前記フレーム部材と重なる、請求項１から４のいずれか一項に記載のフィルタ組立体。
【請求項６】
前記フレームは、前記開口を横断して前記フレームの前記上面の下側に延在する、複数のリブを含み、前記リブは前記フィルタカートリッジの前記流入面を横断し、前記フィルタカートリッジの前記流入面を越えて伸び；
前記リブは、前記フレーム部材の前記上面から窪んでいる、請求項１から５のいずれか一項に記載のフィルタ組立体。
【請求項７】
前記フィルタハウジングは第１の壁及び第２の壁を含み；
前記第１の壁は第１の部分及び第２の部分を含み；
前記第２の壁は第１の部分及び第２の部分を含み；
前記第１の壁の前記第１の部分と前記第２の壁の前記第１の部分とは、略平行であり；
前記第１の壁の前記第２の部分及び前記第２の壁の前記第２の部分は、前記流出口の近傍で互いに向かって合流し；並びに
前記流出面は平坦であり、前記フィルタカートリッジは、前記第１及び前記第２の部分を係合させるために前記流出面から突出するガイド機構を有する、請求項１から６のいずれか一項に記載のフィルタ組立体。
【請求項８】
前記フィルタカートリッジを前記フィルタハウジングに設置した時、前記フィルタ媒体の流出面は、前記第１の壁の前記第１の部分と前記第２の壁の前記第１の部分との間に位置し；
前記ガイド機構は、前記積層体の両側から突出して前記第２の部分の間の領域へと突出する、複数の合流するブレードを含む、請求項７に記載のフィルタ組立体。
【請求項９】
前記フィルタ媒体の前記積層体は、第１の側部及び前記第１の側部と反対側の第２の側部を含み、前記第１及び第２の側部は、前記流入面及び前記流出面に対して略垂直に、かつ互いに対して略平行に延在し、前記フレーム部材は、前記第１の側部の近傍の第１のチャネル及び前記第２の側部の近傍の第２のチャネルを画定し、前記フィルタカートリッジは更に、前記フィルタ媒体の前記第１の側部を概ね越えて延在する第１の端壁を含み、前記第１の端壁は、中央部分と、前記中央部分に対して略垂直に延在する外壁部分とを含み、前記外壁部分は、前記フレーム部材の前記第１のチャネル内に位置するよう構成された上側部分を含み；並びに
前記フィルタカートリッジは、前記フィルタ媒体の前記第２の側部を概ね越えて延在する第２の端壁を含み、前記第２の端壁は、中央部分と、前記中央部分に対して略垂直に延在する外壁部分とを含み、前記第２の端壁の前記外壁部分は、前記フレーム部材の第２のチャネル内に位置するよう構成された上側部分を含む、請求項１から８のいずれか一項に記載のフィルタ組立体。
【請求項１０】
フィルタ組立体内のフィルタカートリッジを交換する方法であって、
前記フィルタ組立体はフィルタハウジングを含み、前記フィルタハウジングは、内部キャビティ、流入口及び流出口を画定し、前記フィルタハウジングは、前記流出口の近傍に、互いに向かって内向きに延在する側壁を含む、方法において、
前記方法は：
前記フィルタカートリッジを提供するステップであって、前記フィルタカートリッジは、溝付きフィルタ媒体及びフレーム部材を含み、前記溝付きフィルタ媒体は、流入面及び流出面を有し、前記溝付きフィルタ媒体の溝は、前記流入面から前記流出面へと延在し、前記流出面は略平坦であり、前記フレーム部材は、前記上面を有する上部部分を含み、前記上部部分は第１の端部から第２の端部へと延在し、前記上部部分は中央開口を画定し、前記フレーム部材は、前記中央開口を通して前記フィルタ媒体の前記流入面へと流体を配向できるよう、前記溝付きフィルタ媒体に連結され、前記フィルタ媒体の前記流入面は、前記上部部分の前記上面の下側で窪んでいる、ステップ；
前記フィルタハウジングの前記内部キャビティ内に前記フィルタカートリッジを配置するステップ
を含む、方法。
【請求項１１】
前記フィルタハウジングの前記側壁は、前記側壁が互いに対して略平行に延在する第１のセクションを含み、前記フィルタカートリッジを前記フィルタハウジングの前記内部キャビティ内に配置すると、前記フィルタ媒体の前記流出面は、前記側壁の前記第１のセクションの間に位置する、請求項１０に記載の方法。
【請求項１２】
前記フィルタカートリッジを取り外すステップを更に含み、前記ステップは、対向する第１及び第２の流れ面を有するフィルタ媒体を有する媒体パック構成を取り外すステップを含み、前記媒体パック構成は、前記フィルタハウジングの前記内部キャビティ内に前記フィルタカートリッジを配置する前に、前記流れ面のうちの一方に第１の窪んだ中央領域を有する、請求項１０又は１１に記載の方法。
【請求項１３】
前記フィルタカートリッジは更に、前記フレーム部材に連結されたシール部材を含み、前記フィルタハウジングの前記内部キャビティ内に前記フィルタカートリッジを配置する前記ステップは、汚染された流体が前記フィルタハウジング内へと流れるのを防止するために、前記シールを前記フィルタハウジングに対して配置するステップを含む、請求項１０から１２のいずれか一項に記載の方法。
【請求項１４】
フィルタカートリッジであって、
前記フィルタカートリッジは：
フィルタ媒体であって、前記フィルタ媒体は、略矩形の流入面と、流出面と、前記流入面から前記流出面へと延在する、対向する第１及び第２の側部並びに対向する第３及び第４の側部とを備える、フィルタ媒体において、
前記第１の側部、前記第２の側部、前記第３の側部及び前記第４の側部はそれぞれ、前記流入面及び前記流出面に対して略垂直に延在し、前記第１の側部は前記第１の平面に沿って延在し、前記第２の側部は前記第２の平面に沿って延在し、前記第３の側部は前記第３の平面に沿って延在し、前記第４の側部は第４の平面に沿って延在する、フィルタ媒体；
第１の媒体に連結されたフレーム部材であって、前記フレーム部材は略矩形の開口を画定し、流体は前記開口を通して前記流入面へと流れることができ、前記フレーム部材は、上部部分と、互いから離間した第１及び第２の脚とを含む、フレーム部材において、
前記第１の脚は、前記フィルタ媒体の前記第１の側部に連結され、前記第２の脚は、前記フィルタ媒体の前記第２の側部に連結される、フレーム部材；
前記フィルタ媒体の前記第３の側部を密閉する、第１の端部キャップであって、前記第１の端部キャップは、前記第１の脚及び前記第２の脚と、前記第１の平面、前記第３の平面又は前記第４の平面に対して平行な少なくとも１つの方向において重なる、第１の端部キャップ；並びに
前記フィルタ媒体の前記第４の側部を密閉する、第２の端部キャップであって、前記第２の端部キャップは、前記第１の脚及び前記第２の脚と、前記第２の平面、前記第３の平面又は前記第４の平面に対して平行な少なくとも１つの方向において重なる、第２の端部キャップ
を備える、フィルタカートリッジ。
【請求項１５】
前記第１の端部キャップは、前記第１の脚及び前記第２の脚と、前記第１の平面、前記第３の平面及び前記第４の平面に対して平行な方向において重なる、請求項１４に記載のフィルタカートリッジ。
【請求項１６】
前記第２の端部キャップは、前記第１の脚及び前記第２の脚と、前記第２の平面、前記第３の平面及び前記第４の平面に対して平行な方向において重なる、請求項１４又は１５に記載のフィルタカートリッジ。
【請求項１７】
前記フレームの前記上部部分の下側で前記上部部分の周囲に延在するシールを更に備え、
前記シールは、汚染された流体が前記フィルタハウジング内へと流れるのを防止するために、前記フィルタハウジングに対して配置されるよう構成される、請求項１４から１６のいずれか一項に記載のフィルタカートリッジ。
【請求項１８】
フィルタカートリッジであって、
前記フィルタカートリッジは：
流入面及び流出面を有する略矩形のブロックとして構成された、溝付きフィルタ媒体のシートの積層体；
前記溝付きフィルタ媒体のブロックに連結されたフレームであって、前記フレームは、前記流入面の周囲に前記流入面から上向きに延在する上部部分と、前記フィルタ媒体の前記流出面に向かって下向きに延在する１対の脚とを含み、前記フレームは略矩形の開口を画定し、流体は前記開口を通して前記フィルタ媒体の前記流入面へと流れることができ、前記フレームの前記上部部分は、前記フィルタ媒体から離れるように外向きに延在する、フレーム；並びに
前記フィルタ媒体の周囲に延在するシール部材であって、前記シール部材は、前記フィルタ媒体から離れるように外向きに延在する前記フレームの前記上部部分の一部分に連結される、シール部材
を備える、フィルタカートリッジ。
【請求項１９】
前記流出面及び前記流入面はそれぞれ略平坦である、請求項１８に記載のフィルタカートリッジ。
【請求項２０】
前記フレームは、前記上部部分と前記脚との間に延在する接続部分を含み、前記接続部分は１対のチャネルを画定し、前記フィルタカートリッジは第１の端壁及び第２の端壁を更に備え、各前記端壁は、前記フィルタ媒体に連結されるよう、及び前記フレームの前記接続部分によって画定された前記チャネルのうちの一方と整合するよう、構成される、請求項１８又は１９に記載のフィルタカートリッジ。
【請求項２１】
前記シール部材はフォームパッド前置フィルタである、請求項１８から２０のいずれか一項に記載のフィルタカートリッジ。
【請求項２２】
前記フレーム部材は上面を有し、前記フィルタ媒体の前記流入面は、前記フレーム部材の前記上面の下側で窪んでいる、請求項１８から２１のいずれか一項に記載のフィルタカートリッジ。
【請求項２３】
フィルタカートリッジであって、
前記フィルタカートリッジは：
流入面及び流出面を有する略矩形のブロックとして構成された、溝付きフィルタ媒体のシートの積層体；
前記流入面の上流に配置された前置フィルタ；並びに
前記溝付きフィルタ媒体の前記ブロックに連結されたフレームであって、前記フレームは、前記流入面及び前記前置フィルタの周囲に、前記流入面及び前記前置フィルタから上向きに延在する上部部分と、前記前置フィルタを通過して、前記フィルタ媒体の前記流出面に向かって下向きに延在する、１対の脚とを含み、前記フレームは略矩形の開口を画定し、流体は前記開口を通して前記前置フィルタへと流れることができ、前記フレームの前記上部部分は、前記フィルタ媒体から離れるように外向きに延在する、フレーム
を備え、
前記前置フィルタ及び前記流入面は、前記フレームの上面の下側で窪んでいる、フィルタカートリッジ。
【請求項２４】
前記フレームは、前記略矩形の開口を横断して延在するリブを含み、
前記前置フィルタは、前記リブと前記流入面との間に位置する、請求項２３に記載のフィルタカートリッジ。